(57)【要約】【課題】情報端末を通信ユニットに接近させる際に、電装品モジュールの電子部品が邪魔にならないようにする。【解決手段】電装品モジュール２００の制御基板２４０は背の低い電子部品２４１が複数搭載された第１領域２４０Ａと背の高い電子部品２４２が複数搭載された第２領域２４０Ｂを有し、通信ユニット２４３は第１領域２４０Ａに搭載されている。【選択図】図３
2020134020.tif 000002
【特許請求の範囲】
【請求項１】
熱交換器室と機械室を有する筐体と、前記機械室に着脱自在又は開閉自在に取り付けられるメンテナンス用のサービスパネルと、前記サービスパネルと対面するよう前記機械室に取り付けられる電装品モジュールとを備えた空気調和機の室外機において、
前記電装品モジュールの前記サービスパネルと対面する側に制御基板が配置され、該制御基板の前記サービスパネルと対面する側に、電子部品と、情報端末と近距離で無線通信を行う通信ユニットとが搭載され、
前記制御基板は前記サービスパネルと対面する側に、前記電子部品の内の背の低い電子部品が複数搭載された第１領域と、前記電子部品の内の背の高い電子部品が複数搭載された第２領域を備え、前記第１領域に前記通信ユニットが搭載されていることを特徴とする室外機。
【請求項２】
請求項１に記載の室外機において、
前記制御基板の前記第１領域に搭載された前記背の低い電子部品が低電圧用であり、前記第２領域に搭載された前記背の高い電子部品が高電圧用であることを特徴とする室外機。
【発明の詳細な説明】
【技術分野】
【０００１】
本発明は近距離無線通信システムであるＮＦＣ（Near Field Communication）システムを搭載した空気調和機の室外機に関する。
【背景技術】
【０００２】
室外機にＮＦＣシステムの通信ユニットを搭載し、その通信ユニットにスマートホン等の情報端末を接近させて、非接触でその情報端末との間で無線通信を行う空気調和機が提案されている（特許文献１，２）。このＮＦＣシステムを使用すれば、情報端末によって室外機の運転に必要な各種データを設定したり、室外機の状態を診断したりすることができる。
【先行技術文献】
【特許文献】
【０００３】
【特許文献１】ＷＯ２０１６／０８０３５２公報
【特許文献２】ＷＯ２０１６／２０８２２３公報
【発明の概要】
【発明が解決しようとする課題】
【０００４】
ところが、特許文献１，２に記載のＮＦＣシステムを採用すると、通信ユニットが室外機の筐体から露出する位置に配置されることになるので、その通信ユニットが室外機の筐体の内部に取り付けられた電装品モジュールから遠くなる。このため、通信ユニットと電装品モジュールを接続するケーブルの配線距離が長くなり、外来ノイズの影響を受け易くなったりコスト増加を招く問題がある。また、通信ユニットが外部に露出しているので、その通信ユニットに特別な防水機構を設ける必要が生じたり、人が容易に触れることができるためセキュリティが悪化する問題もある。
【０００５】
そこで、本発明者は、室外機の筐体の機械室に取り付けられる電装品モジュールの制御基板に通信ユニットを直接搭載しておいて、筐体のサービスパネルを取り外して電装品モジュールの制御基板を露出させてから、制御基板の通信ユニットに情報端末を接近させることで、通信端末と通信ユニットの間で無線通信を行わせることを着想した。
【０００６】
しかし、制御基板には背の高い電子部品と背の低い電子部品が密集して搭載されており、通信ユニットの背が低いときは、その制御基板に通信ユニットを直接搭載しても、背の高い電子部品に邪魔されて情報端末を通信ユニットに近づけることができない場合があり、このときは通信ユニットと情報端末との間で正常な無線通信を行うことができない事態が発生するおそれがある。
【０００７】
本発明の目的は、電装品モジュールの制御基板に背の高い電子部品と背の低い電子部品が密集して搭載されいても、制御基板に搭載した通信ユニットと情報端末との間の正常な無線通信が可能となるようにした室外機を提供することである。
【課題を解決するための手段】
【０００８】
本発明の一形態は、熱交換器室と機械室を有する筐体と、前記機械室に着脱自在又は開閉自在に取り付けられるメンテナンス用のサービスパネルと、前記サービスパネルと対面するよう前記機械室に取り付けられる電装品モジュールとを備えた空気調和機の室外機において、前記電装品モジュールの前記サービスパネルと対面する側に制御基板が配置され、該制御基板の前記サービスパネルと対面する側に、電子部品と、情報端末と近距離で無線通信を行う通信ユニットとが搭載され、前記制御基板は前記サービスパネルと対面する側に、前記電子部品の内の背の低い電子部品が複数搭載された第１領域と、前記電子部品の内の背の高い電子部品が複数搭載された第２領域を備え、前記第１領域に前記通信ユニットが搭載されていることを特徴とする。
【発明の効果】
【０００９】
本発明によれば、通信ユニットが制御基板の背の低い電子部品が配置される第１領域に配置されるので、通信ユニットの背が低くても、情報端末を背の高い電子部品に邪魔されずに通信ユニットに接近させることができ、通信ユニットと情報端末との間で正常な無線通信が可能になる。
【図面の簡単な説明】
【００１０】
【図１】室外機の斜視図である。
【図２】サービスパネルを取り外した室外機の斜視図である。
【図３】電装品モジュールの斜視図である。
【発明を実施するための形態】
【００１１】
本発明が適用される室外機１００を図１と図２に示す。１１０はこの室外機１００の筐体であり、前面パネル１１１、その前面パネル１１１の右横のメンテナンス用の着脱自在のサービスパネル１１２、右側面パネル１１３、左側面パネル１１４、天面パネル１１５、背面パネル１１６、底面パネル１１７を備える。底面パネル１１７の下面には脚１１８が取り付けられている。
【００１２】
この筐体１１０は仕切板１１９によって、正面パネル１１１の奥側が熱交換器室１１０Ａとなり、サービスパネル１１２の奥側が機械室１１０Ｂとなるように、正面視で左右方向に区画されている。そして、熱交換器室１１０Ａには、図示しない室外熱交換器や送風ファンが配置されている。また、機械室１１０Ｂには、冷媒配管１１、圧縮機１２、アキュムレータ１３、図示しない四方弁等が配置されている。機械室１１０Ｂは、サービスパネル１１２を取り外すことにより、室外機１００の正面から視認可能となっている。
【００１３】
２００は機械室１１０Ｂに取り付けられる電装品モジュールであり、正面がサービスパネル１１２と対面するよう機械室１１０Ｂに配置される導電性の固定板２１０と、固定板２１０の上部に取り付けられる長尺形状の導電性の上フレーム２２０と、固定板２１０の下部に取り付けられる長尺形状の導電性の下フレーム２３０と、固定板２１０のサービスパネル１１２と対面する側に取り付けられる制御基板２４０とを備える。つまり、制御基板２４０は電装品モジュール２００のサービスパネル１１２と対面する側に配置されている。上フレーム２２０と下フレーム２３０は電装品モジュール２００を機械室１１０Ｂに取り付けるためのものであるが、その取付構造については、本発明に直接関係しないので説明は省略する。
【００１４】
制御基板２４０のサービスパネル１１２と対面する側である正面２４０ａは、図３に示すように、背の低い電子部品２４１が複数搭載された第１領域２４０Ａと、背の高い電子部品２４２が複数搭載された第２領域２４０Ｂに区画されている。そして、第１領域２４０ＡにはＮＦＣシステムを形成する通信ユニット２４３が更に搭載され、第１領域２４０Ａ内における通信ユニット２４３の近傍にはその通信ユニット２４３とデータ通信を行うマイクロコンピュータ２４４が配置されている。
【００１５】
以上から、本実施例では、室外機１００のサービスパネル１１２を取り外せば、図２に示すように電装品モジュール２００が正面に露出するので、その電装品モジュール２００の制御基板２４０に搭載された通信ユニット２４３に、図３に示すように情報端末３００を接近させることで、その情報端末３００と通信ユニット２４３の間で無線によるデータ通信を行わせることが可能となる。
【００１６】
よって、情報端末３００と通信ユニット２４３に、室外機１００と接続される少なくとも１台の室内機のアドレスや能力等の設定機能、室外機１００自体や少なくとも１台の室内機の運転情報或いはエラー情報を情報端末３００にモニタ表示させる機能等を具備させておけば、情報端末３００を通信ユニット２４３に接近させて情報端末３００を操作することで、アドレスや能力等の設定、運転情報やエラー情報のモニタ表示等を行わせることができる。
【００１７】
このとき、通信ユニット２４３は制御基板２４０に直接搭載されているので、その通信ユニット２４３と制御基板２４０を接続するケーブルは不要であり、外来ノイズの影響を受け難くコスト増加を招くこともない。また、通信ユニット２４３は筐体１１０の機械室１１０Ｂ内に取り付けられる電装品モジュール２００の制御基板２４０に搭載され、機械室１１０Ｂはサービスパネル１１２で閉じられるので、通信ユニット２４３のための特別な防水機構は必要はない。また、同様の理由から、通信ユニット２４３に人が簡単に触れることができなくなり、セキュリティが向上する。
【００１８】
さらに、通信ユニット２４３が搭載された第１領域２４０Ａには背の低い電子部品２４１が搭載されているので、その通信ユニット２４３の背が低い場合であっても、情報端末３００を通信ユニット２４３に接近させる際に、情報端末３００が背の高い電子部品２４２に邪魔されることを回避できる。
【００１９】
さらに、第１領域２４０Ａには、通信ユニット２４３とデータ通信するマイクロコンピュータ２４４がその通信ユニット２４３の近傍に配置されているので、通信ユニット２４３とマイクロコンピュータ２４４との間の距離を短縮でき、その間の通信性能を向上できる。
【００２０】
なお、通信ユニット２４３が配置される第１領域２４０Ａの背の低い電子部品２４１を低電圧用とし、第２領域２４０Ｂの背の高い電子部品２４２を高電圧用としておけば、情報端末３００を通信ユニット２４３に接近させる際に、情報端末３００が高電圧用の電子部品に接触する恐れを回避できる。
【００２１】
また、以上の実施例ではメンテンナンス用のサービスパネル１１２として着脱自在なサービスパネルを使用した例で説明したが、機械室１１０Ｂを露出できるよう開閉自在となったサービスパネルを使用することもできる。この場合には、その開閉自在のサービスパネルを開いてから、通信ユニット２４３を露出させ、情報端末３００をその通信ユニット２４３に接近させて室外機１００自体やその室外機１００に配管で接続される室内機に関する必要なデータを設定したり、室外機１００や室内機の状態を情報端末３００にモニタ表示させてそれらを診断したりすることができる。
【符号の説明】
【００２２】
１００：室外機、１１０：筐体、１１２：サービスパネル
２００：電装品モジュール、２１０：固定板、２２０：上フレーム、２３０：下フレーム、２４０：制御基板、２４０Ａ：第１領域、２４０Ｂ：第２領域、２４１：背の低い電子部品、２４２：背の高い電子部品、２４３：通信ユニット、２４４：マイクロコンピュータ
３００：通信端末
【図１】
2020134020.tif 000003
【図２】
2020134020.tif 000004
【図３】
2020134020.tif 000005